(57)【要約】【課題】操作パネルを大型化した場合であっても、収納状態と操作状態の間を良好に移動させることができるコンロを提供する。【解決手段】右フロントパネル部１１には、収納枠３２が設けられる。操作部６０は操作パネル３５を有し、収納枠３２内に収納される収納状態と、前側に引き出される操作状態との間を回動可能に軸支される。収納枠３２の右板部には、ダンパ機構が設けられる。ダンパ機構はピニオンギア５１の回転速度を制限する。操作部６０の右壁部６３には、ラック部６６が設けられる。ラック部６６には、ピニオンギア５１が噛合する。操作部６０が収納状態のとき、ラック部６６の後端部６６Ａは、底板部３２１に設けられたＵ字溝部４７内に収容される。それ故、操作パネル３５が大型化し、操作部６０が回動する際のストローク長が長くなっても、ラック部６６の後端部６６Ａは底板部３２１と干渉しない。【選択図】図５
2020118312.tif 000002
【特許請求の範囲】
【請求項１】
操作部を有し、筐体前面に固定されるフロントパネル部を備え、前記フロントパネル部の下側には、少なくとも底板部と、左右一対の側板部とを備え、前記操作部を内側に収納する収納部が設けられ、前記操作部は、入力を受け付け可能な操作パネルを有し、前記フロントパネル部の下端部において左右方向に延びる回動軸によって回動可能に軸支され、前記回動軸を中心に回動することによって、前記操作パネルが前記収納部内に収納される収納状態と、前記操作パネルが前記収納部外に露出され、前記操作パネルにおける操作が可能な操作状態との間を移動可能に構成され、前記操作部を前記操作状態となる方向に付勢する付勢手段と、前記操作部を前記収納状態の位置で解除自在に保持する位置規制部とをさらに備えたコンロにおいて、
前記一対の側板部のうち一方の側板部に設けられ、前記左右方向に延びる軸心を中心に回転可能な歯車状のピニオンギアを有し、該ピニオンギアの回転速度を制限するダンパ機構と、
前記操作部における前記一方の側板部と対向配置された側面部に設けられ、前記ピニオンギアと噛合する円弧状のラック部と
を備え、
前記底板部には、前記操作部が前記収納状態に保持されたときに、前記ラック部の長さ方向の両端部のうち後端部を内側に収容するラック端収容部が設けられたことを特徴とするコンロ。
【請求項２】
前記ラック端収容部は、
前記底板部の上面において下方に凹んで形成された凹部、下面と貫通する孔部、若しくは前記底板部の縁部から切欠き状に切断された切欠き部であること
を特徴とする請求項１に記載のコンロ。
【発明の詳細な説明】
【技術分野】
【０００１】
本発明は、コンロに関する。
【背景技術】
【０００２】
従来、調理器本体に設けられた開口から突出する突出位置と、調理器本体内に収納された収納位置とに移動自在な開閉式操作盤の開閉構造が知られている（例えば、特許文献１参照）。操作盤は、調理器本体内に着脱自在に設けられた収納箱に収納自在である。収納箱には、揺動軸、ねじりコイルバネ、位置規制機構、ダンパ機構が設けられる。揺動軸は、操作盤を調理器本体に対して揺動自在とする。ねじりコイルバネは、操作盤を調理器本体に対して突出位置側に付勢する。位置規制機構は、操作盤を収納位置で解除自在に固定する。ダンパ機構は、ねじりコイルバネによる操作盤への付勢力に抗して操作盤の移動速度を減速させる。収納箱の内側面には、ピニオンギアがロータリーダンパを介して回転自在に設けられる。操作盤の側面には、揺動方向に湾曲しピニオンギアと噛合する円弧状のラックギアが設けられる。ロータリーダンパ、ピニオンギア、ラックギアで、ダンパ機構が構成される。
【先行技術文献】
【特許文献】
【０００３】
【特許文献１】特許５３９８４３８号公報
【発明の概要】
【発明が解決しようとする課題】
【０００４】
コンロの多機能化に伴い、例えば、操作盤の上面に設けられるボタンの個数を増加させたり、表示部を大きくしたり、複数の機能を操作盤に集約させたりすることによって、操作盤は大型化する傾向にある。操作盤を大型化した場合、操作盤の揺動に必要なストローク長が長くなるので、操作盤を収納位置に収納した状態において、ラックギアの後端部が収納箱の底板部の上面と干渉する可能性があった。
【０００５】
本発明の目的は、操作パネルを大型化した場合であっても、収納状態と操作状態の間を良好に移動させることができるコンロを提供することである。
【課題を解決するための手段】
【０００６】
請求項１のコンロは、操作部を有し、筐体前面に固定されるフロントパネル部を備え、前記フロントパネル部の下側には、少なくとも底板部と、左右一対の側板部とを備え、前記操作部を内側に収納する収納部が設けられ、前記操作部は、入力を受け付け可能な操作パネルを有し、前記フロントパネル部の下端部において左右方向に延びる回動軸によって回動可能に軸支され、前記回動軸を中心に回動することによって、前記操作パネルが前記収納部内に収納される収納状態と、前記操作パネルが前記収納部外に露出され、前記操作パネルにおける操作が可能な操作状態との間を移動可能に構成され、前記操作部を前記操作状態となる方向に付勢する付勢手段と、前記操作部を前記収納状態の位置で解除自在に保持する位置規制部とをさらに備えたコンロにおいて、前記一対の側板部のうち一方の側板部に設けられ、前記左右方向に延びる軸心を中心に回転可能な歯車状のピニオンギアを有し、該ピニオンギアの回転速度を制限するダンパ機構と、前記操作部における前記一方の側板部と対向配置された側面部に設けられ、前記ピニオンギアと噛合する円弧状のラック部とを備え、前記底板部には、前記操作部が前記収納状態に保持されたときに、前記ラック部の長さ方向の両端部のうち後端部を内側に収容するラック端収容部が設けられたことを特徴とする。
【０００７】
請求項２のコンロの前記ラック端収容部は、前記底板部の上面において下方に凹んで形成された凹部、下面と貫通する孔部、若しくは前記底板部の縁部から切欠き状に切断された切欠き部であるとよい。
【発明の効果】
【０００８】
請求項１のコンロによれば、操作部が収納状態に保持されたとき、ラック部の後端部は、底板部に設けられたラック端収容部の内側に収容されるので、ラック端収容部が無い場合に比べ、ラック部の長さを長くできる。これにより、操作パネルが大型化し、操作部が収納状態と操作状態の間を移動する際のストロークが長くなった場合でも、ラック部の後端部が底板部と干渉することなく、操作部を収納部に無理なく収納できる。
【０００９】
請求項２のコンロによれば、ラック端収容部は、底板部に設けられた凹部、孔部、若しくは切欠き部であるので、底板部に干渉させずに、操作部ラック部の後端部を収容できる。
【００１０】
なお、本発明のコンロは、前記操作部が前記操作状態において、前記操作パネルを平面視で見たときに、前記ボタンは前記回動軸よりも前方で、且つ前記操作パネルに対して作用する押圧力のベクトルが前記回動軸よりも前側の領域に向かうようにするとよい。
【図面の簡単な説明】
【００１１】
【図１】コンロ１の正面図である。
【図２】右フロントパネル部１１（操作部６０：収納状態）の正面図である。
【図３】右フロントパネル部１１（操作部６０：収納状態）の背面図である。
【図４】右フロントパネル部１１（操作部６０：収納状態）の斜視図である。
【図５】図２に示すＩ−Ｉ線で切断した右フロントパネル部１１の断面斜視図である。
【図６】右フロントパネル部１１（操作部６０：操作状態）の正面図である。
【図７】右フロントパネル部１１（操作部６０：操作状態）の背面図である。
【図８】右フロントパネル部１１（操作部６０：操作状態）の斜視図である。
【図９】図６に示すＩＩ−ＩＩ線で切断した右フロントパネル部１１の断面斜視図である。
【発明を実施するための形態】
【００１２】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。以下説明は、図中に矢印で示す左右、前後、上下を使用する。
【００１３】
図１を参照し、コンロ１の構造を説明する。コンロ１は、ビルトインコンロである。コンロ１は、筐体２と天板３を備える。筐体２は上部が開口し、該開口部分に天板３が固定される。天板３の上面の右手前には右コンロ４、左手前には左コンロ５、中央奥側には奥コンロ６が設けられる。筐体２の前面の中央部には、グリル扉８が設けられる。グリル扉８は、手前に引き出し可能に設けられ、筐体２内に設置されるグリル庫（図示略）の前側の開口を開閉する。筐体２の前面において、グリル扉８の右側には、右フロントパネル部１１が固定され、左側には、左フロントパネル部１２が固定される。
【００１４】
右フロントパネル部１１は正面視略矩形状に形成され、その前面の上半分の領域には、化粧板２１が固定される。化粧板２１において、略円柱状の２つの操作ボタン１５、１６が横並びに設けられる。操作ボタン１５、１６は、筐体２内に設置され、右コンロ４、グリル庫内のグリルバーナ（図示略）に夫々対応する燃料供給装置（図示略）に接続される。操作ボタン１５、１６は、右コンロ４、グリルバーナ（図示略）の点火、消火、及び火力調節の為に、押し込み又は回動操作される。
【００１５】
右フロントパネル部１１の前面の下半分の領域には、操作部６０が設けられる。操作部６０の前面には、化粧板２２が固定される。化粧板２２の上部を指で後方に押し込むと、操作部６０は、後述するロック機構部４４（図８参照）によるロックが外れ、下部を基点に前方に回動する。その結果、操作部６０の背面側に設けられた操作パネル３５（図８参照）が前方に引き出される。操作パネル３５は、後述する各種ボタン３５１、表示部３５２、３５３等を有し、各種入力を受け付ける。操作パネル３５は、使用者側に向くように水平面に対して所定角度（例えば１７°）で傾斜した状態で支持される。なお、操作パネル３５の傾斜角度は、使用者から見え易く且つ操作し易い角度が好ましい。
【００１６】
左フロントパネル部１２は正面視略矩形状に形成され、その前面の上半分には、化粧板２３が固定される。化粧板２３において、略円柱状の２つの操作ボタン１７、１８が横並びに設けられる。操作ボタン１７、１８は、奥コンロ６、左コンロ５の点火、消火、及び火力調節の為に、押し込み又は回動操作される。左フロントパネル部１２の前面の下半分には、電池ボックス２６が設けられる。電池ボックス２６には、コンロ１の電源である乾電池（図示略）が収納される。
【００１７】
図２〜図９を参照し、右フロントパネル部１１の構造を具体的に説明する。図２〜図４に示すように、右フロントパネル部１１は、本体部３１、収納枠３２、操作部６０等を備える。本体部３１は、右フロントパネル部１１の上側に設けられ、正面視略矩形状に形成された樹脂製板部材である。本体部３１には、２つの挿通穴３１１、３１２が横並びに設けられる。これら挿通穴３１１、３１２には、操作ボタン１５、１６が後方から前方に向けて挿入される。本体部３１の前面には、化粧板２１（図１参照）が固定される。
【００１８】
次に、収納枠３２の構造を説明する。収納枠３２は、右フロントパネル部１１の下側に設けられ、樹脂製で且つ正面視略矩形枠状に形成される。収納枠３２は、底板部３２１、右板部３２２、左板部３２３、上板部３２４を備える。底板部３２１は、底面視左右方向に長い略矩形状に形成される。右板部３２２は、底板部３２１の右端部から上方に略直角に立設される。右板部３２２は、側面視上下方向に長い略矩形状に形成される。左板部３２３は、底板部３２１の左端部から上方に略直角に立設される。左板部３２３も、右板部３２２と同様に、側面視上下方向に長い略矩形状に形成される。上板部３２４は、平面視左右方向に長い略矩形状に形成される。上板部３２４の右端部は、右板部３２２の右端部と接続する。上板部３２４の左端部は、左板部３２３の左端部と接続する。図４に示すように、本体部３１は、上板部３２４の上面の前端側に立設される。それ故、収納枠３２は、本体部３１よりも後方に突出するように設けられる。
【００１９】
図２に示すように、底板部３２１の前端部の右角部には、右側支軸４１が設けられ、左角部には、左側支軸４２が設けられる。右側支軸４１と左側支軸４２は左右方向に延び、且つ同一軸線上に延びる。後述するように、右側支軸４１と左側支軸４２は、操作部６０の下部を回動可能に軸支する。底板部３２１の上面の左右方向略中央部には、支持部材４３（図２、図７、図９参照）が立設される。支持部材４３の上部には、ロック機構部４４（図７、図９参照）が支持される。ロック機構部４４は、周知のプッシュロック機構を備える。操作部６０の後述する突起６５（図６、図７参照）をロック機構部４４に押し込むと、突起６５がロックされ、再度押し込むとロックが解除される。
【００２０】
底板部３２１の上面の左側には、後方に突出するように延設され、下方に向けて開口する断面略Ｕ字状のケーブル支持部４５（図３、図９参照）が設けられる。ケーブル支持部４５の上面における前後２か所には、フック部４５１、４５２が夫々固定される。フック部４５１、４５２には、操作部６０の操作パネル３５に接続されるケーブル（図示略）を固定できる。
【００２１】
底板部３２１の上面において、支持部材４３の右方には、バネ固定部４６（図３、図９参照）が設けられる。バネ固定部４６は、底板部３２１の上面から上方に突出し、且つ左右方向に長い略直方体状に形成される。バネ固定部４６の左面には、右方に向かって延びる固定穴（図示略）が設けられる。該固定穴には、コイル状のねじりコイルバネ３７の一端部３７１が挿入固定される。さらに、バネ固定部４６の右側であって、底板部３２１の後端部の右側角部には、Ｕ字溝部４７（図５、図９参照）が設けられる。Ｕ字溝部４７は、平面視略Ｕ字状に切り欠いて形成される。後述するように、操作部６０が収納枠３２の内側に収容される収納状態のとき、Ｕ字溝部４７の内側に、後述するラック部６６の後端部６６Ａが収容される。
【００２２】
図４に示すように、右板部３２２の上下方向中央部よりもやや下側で、且つ前端部寄りには、ダンパ機構５０が固定される。ダンパ機構５０は、例えば、周知のオイルダンパを採用するとよい。ダンパ機構５０は、左右方向に延びる軸心を中心に回転可能な歯車状のピニオンギア５１（図５参照）を有し、該ピニオンギア５１の回転速度を制限する。ピニオンギア５１は、操作部６０の右壁部６３に設けられた後述する円弧状のラック部６６の歯部６６２と噛合する。上板部３２４の前端部の略中央部には、下方に突出する被係止部３２６（図２参照）が設けられる。被係止部３２６は、正面視左右方向に長い略矩形状に形成される。
【００２３】
次に、操作部６０の構造を説明する。本実施形態では、操作パネル３５が収納枠３２内に収納された収納状態を基本姿勢とし、該基本姿勢の向きで構造を説明する。また、操作部６０において、操作パネル３５が前方に引き出され、操作可能となった状態を操作状態と呼ぶ。操作部６０は、収納状態と操作状態の間を移動可能に構成される。操作部６０は、左右方向に長く、内部が空洞で且つ底面側が開口する略三角柱状に形成される。操作部６０は、前壁部６１、後壁部６２、右壁部６３、左壁部６４（図７、図９参照）を備える。
【００２４】
図２に示すように、前壁部６１は略矩形状に形成され、その前面には、上述の化粧板２１（図１参照）が固定される。前壁部６１の上側における左右方向中央部には、正面視略矩形状の開口部６１１が設けられる。開口部６１１の下縁部には、後方に突出する突起６５（図６参照）が設けられる。前壁部６１の下端部の右角部には右軸支部６１２が設けられ、左角部には左軸支部６１３が設けられる。右軸支部６１２と左軸支部６１３は、側面視略Ｃ状に形成される（図５参照）。右軸支部６１２は、収納枠３２の底板部３２１の右前角部に設けられた右側支軸４１に回動自在に係合し、左軸支部６１３は、左前角部に設けられた左側支軸４２に回動自在に係合する。これにより、操作部６０は、右側支軸４１と左側支軸４２を中心に回動自在に支持される。
【００２５】
図４、図５に示すように、後壁部６２は、前壁部６１の前端部から後方に対して斜め下方に延設され、略矩形板状に形成される。後壁部６２の外面（上面）には、操作パネル３５が固定される。操作パネル３５は、左右方向にやや長い略矩形状に形成される。操作パネル３５には、１２個のボタン３５１（図中では一つのみ符号を付けている）と、２つの表示部３５２、３５３が設けられる。操作パネル３５の斜め下方に向けられた後端部には、係止壁部３５５が設けられる。係止壁部３５５は、操作パネル３５の後端部から後方に対して斜め上方に突設され、平面視左右方向に長い略矩形状に形成される。
【００２６】
後壁部６２の内面と前壁部６１の内面に挟まれる間には、側面視略三角形状の支持板６２１（図７、図９参照）が設けられる。支持板６２１の一辺は、後壁部６２の内面と接続し、他の一片は、前壁部６１の内面と接続する。支持板６２１の残りの一辺は後方に向けて配置され、その後壁部６２側の部分には、バネ固定溝６２２が設けられる。バネ固定溝６２２には、ねじりコイルバネ３７の他端部３７２が係止される（図７参照）。これにより、操作部６０は、ねじりコイルバネ３７のバネ力により、収納状態から操作状態に向けて回動するように常時付勢される。
【００２７】
図５に示すように、右壁部６３は、前壁部６１の右端部と後壁部６２の右端部との間を閉塞するように設けられ、右側面視略三角形状に形成される。右壁部６３の右面は、前壁部６１の右端部と後壁部６２の右端部よりも左方に位置する。右壁部６３の下端部において、後端側を除く部位には、右側面視略矩形状に切り欠いた凹部６３１が設けられる。凹部６３１の後側には、凹部６３１よりも下方に突出する突出部６３２が設けられる。
【００２８】
右壁部６３の右面部には、ラック部６６が設けられる。ラック部６６は、基部６６１と歯部６６２を備える。基部６６１は、突出部６３２の下端から前壁部６１側に向かって円弧状に湾曲し、前壁部６１の背面に接続する。基部６６１は、右側支軸４１を中心とする円弧状に形成される。基部６６１は、右壁部６３の右面部から右方に壁状に突出する。歯部６６２は、基部６６１の湾曲する内側面に沿って形成される。歯部６６２には、収納枠３２の右板部３２２に設けたダンパ機構５０のピニオンギア５１が噛合する。なお、左壁部６４は、前壁部６１の左端部と後壁部６２の左端部との間を閉塞するように設けられ、左側面視略三角形状に形成される（図９参照）。
【００２９】
次に、右フロントパネル部１１における操作パネル３５の引き出し操作を説明する。図２、図４に示すように、操作部６０が収納状態（基本姿勢）のとき、前壁部６１は垂直であり、本体部３１の前面と略面一である。操作部６０の前壁部６１の内面に設けられた突起６５は、収納枠３２の底板部３２１の支持部材４３に支持されたロック機構部４４に押し込まれ、ロックされている（図２参照）。これにより、右フロントパネル部１１は、操作部６０の収納状態を保持できる。操作パネル３５は、収納枠３２の内側に収納され、後方に対して斜め上方を向いた状態である（図３、図４参照）。図５に示すように、操作部６０の右壁部６３の下端部において、凹部６３１は、収納枠３２の底板部３２１の上面の上方に配置され、突出部６３２は、底板部３２１のＵ字溝部４７内に配置される。それ故、突出部６３２に形成されたラック部６６の後端部６６Ａも、Ｕ字溝部４７内に配置される。
【００３０】
次いで、操作パネル３５を手前に引き出す為、使用者は、操作部６０の化粧板２２（前壁部６１）の上側部分を後方に押し込む。これにより、操作部６０側の突起６５がロック機構部４４に再度押し込まれるので、ロック機構部４４によるロックが解除される。すると、図６〜図８に示すように、操作部６０は、ねじりコイルバネ３７によるバネ力により、右側支軸４１と左側支軸４２を中心に前側に付勢されて回動する。このとき、操作部６０と一体して、ラック部６６も右側支軸４１と左側支軸４２を中心に前側に回動する。ラック部６６の回動に併せ、ピニオンギア５１が回転するが、ダンパ機構５０によりその回転速度は制限される。これにより、ラック部６６を介して操作部６０の回動する速度も制限されるので、操作パネル３５は前側に一定の速度でゆっくり安全に引き出される。
【００３１】
操作部６０が前側にさらに回動すると、操作パネル３５の後端部は上方に移動する。操作パネル３５の後端部に設けられた係止壁部３５Ａは、収納枠３２の上板部３２４の前端部に設けられた被係止部３２６に対して後方から係止する（図６参照）。これにより、操作部６０の回動は停止される。そして、操作部６０は、操作パネル３５が前側に引き出され、所定角度で傾斜した状態でその姿勢が保持される（図８参照）。
【００３２】
このように、右フロントパネル部１１は、操作部６０が収納状態のときに、ラック部６６の後端部６６Ａは、底板部３２１に設けられたＵ字溝部４７の内側に収容されるので、Ｕ字溝部４７が無いものに比べ、ラック部６６の長さを長くできる。これにより、操作パネル３５が大型化し、操作部６０が収納状態と操作状態の間を移動する際のストロークが長くなった場合でも、ラック部６６の後端部６６Ａが底板部３２１と干渉することなく、操作部６０を収納枠３２内に収納できる。
【００３３】
図８を参照し、操作状態の操作パネル３５における各種ボタン３５１と、右側支軸４１及び左側支軸４２との位置関係を説明する。操作部６０が操作状態のとき、操作パネル３５は所定角度で傾斜した状態で支持される。上記の通り、操作パネル３５には、複数のボタン３５１が設けられるが、それらの位置は、平面視で見たときに、何れも右側支軸４１及び左側支軸４２よりも前側に配置される。さらに、ボタン３５１が押下されたときに、操作パネル３５に作用する力のベクトルが右側支軸４１及び左側支軸４２よりも前側の領域に向かうように、複数のボタン３５１が配置される。例えば、操作パネル３５において、最上段に位置するボタン３５１が押下されたときに、その操作パネル３５に作用する力のベクトルをＰとした場合、ベクトルＰは、右側支軸４１及び左側支軸４２よりも前側の領域に向けられている。これにより、使用者がボタン３５１を押したときに、その力で操作部６０が後方に回動してしまうのを防止できる。ボタン３５１を押したときに、操作部６０は回転せずにその位置に保持されるので、使用者は、ボタン３５１を安定して押すことができる。
【００３４】
以上説明したように、本実施形態のコンロ１は、筐体２の前面に固定される右フロントパネル部１１を備える。右フロントパネル部１１は操作部６０を備える。右フロントパネル部１１の下側には、収納枠３２が設けられる。収納枠３２は、底板部３２１、右板部３２２、左板部３２３を備え、操作部６０を内側に収納する。操作部６０は、入力を受け付け可能な操作パネル３５を有する。操作部６０は、右フロントパネル部１１の下端部において左右方向に延びる右側支軸４１及び左側支軸４２によって回動可能に軸支される。操作部６０は、右側支軸４１及び左側支軸４２を中心に回動することによって、操作パネル３５が収納枠３２内に収納される収納状態と、操作パネル３５が収納枠３２外に露出され、操作パネル３５における操作が可能な操作状態との間を移動可能に構成される。コンロ１は、ねじりコイルバネ３７とロック機構部４４をさらに備える。ねじりコイルバネ３７は、操作部６０を操作状態となる方向に付勢する。ロック機構部４４は、操作部６０を収納状態の位置で解除自在に保持する。
【００３５】
収納枠３２の右板部３２２には、ダンパ機構５０が設けられる。ダンパ機構５０は、左右方向に延びる軸心を中心に回転可能な歯車状のピニオンギア５１を有し、該ピニオンギア５１の回転速度を制限する。一方、操作部６０のうち、収納枠３２の右板部３２２と対向配置された右壁部６３の右面部には、円弧状のラック部６６が設けられる。ラック部６６の歯部６６２には、ピニオンギア５１が噛合する。さらに、底板部３２１には、操作部６０が収納状態に保持されたときに、ラック部６６の後端部６６Ａを内側に収容するＵ字溝部４７が設けられる。
【００３６】
これにより、操作部６０が収納状態に保持されたとき、ラック部６６の後端部６６Ａは、Ｕ字溝部４７の内側に収容されるので、Ｕ字溝部４７が無い場合に比べ、ラック部６６の長さを長くできる。これにより、操作パネル３５が大型化し、操作部６０が収納状態と操作状態の間を移動する際のストロークが長くなった場合でも、ラック部６６の後端部６６Ａが底板部３２１と干渉することなく、操作部６０を収納枠３２内に収納できる。
【００３７】
上記説明において、右フロントパネル部１１は本発明の「フロントパネル部」の一例である。右板部３２２と左板部３２３は、本発明の「左右一対の側板部」の一例である。収納枠３２は、本発明の「収納部」の一例である。右側支軸４１及び左側支軸４２は、本発明の「回動軸」の一例である。ねじりコイルバネ３７は、本発明の「付勢手段」の一例である。突起６５とロック機構部４４は、本発明の「位置規制部」の一例である。Ｕ字溝部４７は、本発明の「ラック端収容部」の一例である。
【００３８】
なお、本発明は上記実施形態に限定されるものではなく、種々の変更が可能である。上記実施形態において、底板部３２１の後端部の右側角部には、「ラック端収容部」の一例として、Ｕ字溝部４７が設けられるが、ラック部６６の後端部６６Ａを収容可能であればよく、例えば、底板部３２１の上面において下方に凹んで形成された凹部、下面と貫通する孔部等であってもよい。また、底板部３２１の後端部の右側角部を切り欠いてもよい。
【００３９】
操作パネル３５に設けられるボタン３５１の個数と形状、表示部３５２、３５３の数、大きさ、形状等についても、自由に変更可能である。操作パネル３５上のボタン３５１、表示部３５２、３５３のレイアウト（配置）についても自由に変更可能であるが、上記実施形態のように、ボタン３５１の位置は、何れも右側支軸４１及び左側支軸４２よりも前側であって、ボタン３５１が押下されたときに作用する力のベクトルＰが、右側支軸４１及び左側支軸４２よりも前側の領域に向かうように配置されるのが好ましい。
【００４０】
ダンパ機構５０はオイルダンパであるが、他の種類のダンパでもよく、例えば、エアダンパでもよい。
【００４１】
コンロ１はビルトインコンロであるが、テーブルコンロであってもよい。グリル無しでもよい。左フロントパネル部１２の下側に操作部を設け、右フロントパネル部１１と同様の構造を設けてもよい。
【符号の説明】
【００４２】
１    コンロ
２    筐体
１１    右フロントパネル部
３２    収納枠
３５    操作パネル
３７    ねじりコイルバネ
４１    右側支軸
４２    左側支軸
４４    ロック機構部
４７    Ｕ字溝部
５０    ダンパ機構
５１    ピニオンギア
６０    操作部
６３    右壁部
６６    ラック部
６６Ａ  後端部
３２１    底板部
３２２    右板部
３２３    左板部
【図１】
2020118312.tif 000003
【図２】
2020118312.tif 000004
【図３】
2020118312.tif 000005
【図４】
2020118312.tif 000006
【図５】
2020118312.tif 000007
【図６】
2020118312.tif 000008
【図７】
2020118312.tif 000009
【図８】
2020118312.tif 000010
【図９】
2020118312.tif 000011